(57)【要約】セル再選択方法を開示し、ソースセルが、ＵＥがターゲットセルへの再選択の初期再選択条件を満たすことを確定した場合、ローカルで前記ターゲットセルからソースセルへ再選択の再選択閾値パラメータが存在しているか検索し、非存在の場合、ＵＥがターゲットセルを再選択するようにし、存在の場合、さらに、ＵＥのソースセルでの対応するパラメータが再選択閾値パラメータ以下であるかを確定し、再選択閾値パラメータより大きい場合、ＵＥがターゲットセルを再選択しないようにし、再選択閾値パラメータ以下の場合、ＵＥがターゲットセルを再選択するようにする。同時にセル再選択装置及び基地局を開示する。本発明を用いればＴＤセルとＧＳＭセル間の再選択ポリシーの非対称を回避し、ＴＤセルとＧＳＭセル間のピンポン再選択を回避し、再選択期間のＵＥのページングオフ時間を短縮し、ネットワークの負荷を低減させ、かつＵＥの省エネルギーを可能にする。
2015535161.tif 000002
【特許請求の範囲】
【請求項１】
セル再選択方法であって、
ソースセルが、ＵＥがターゲットセルへの再選択の初期再選択条件を満たすことを確定した場合、ローカルで前記ターゲットセルから前記ソースセルへ再選択の再選択閾値パラメータが存在しているかどうかを検索し、存在しない場合、前記ＵＥが前記ターゲットセルを再選択するようにし、存在している場合、さらに、前記ＵＥの前記ソースセルでの対応するパラメータが前記再選択閾値パラメータより小さいかまたは前記再選択閾値パラメータ以下であるかどうかを確定し、前記ＵＥの前記ソースセルでの対応するパラメータが前記再選択閾値パラメータより小さいまたは前記再選択閾値パラメータ以下である場合、前記ＵＥが前記ターゲットセルを再選択するようにすることを含む、前記方法。
【請求項２】
前記方法は、さらに、
前記ＵＥが前記ターゲットセルを再選択するようにした場合、前記ソースセルが、前記ターゲットセルへ再選択の再選択閾値パラメータを前記ターゲットセルに通知する
ことを含むことを特徴とする
請求項１に記載の方法。
【請求項３】
前記初期再選択条件は、プロトコルに規定されている再選択条件であることを特徴とする
請求項１に記載の方法。
【請求項４】
前記ソースセル及び前記ターゲットセルがそれぞれ異なる通信システムに属していることを特徴とする
請求項１〜３のいずれか１項に記載の方法。
【請求項５】
前記ソースセル及び前記ターゲットセルがそれぞれ、時分割同期符号分割多元接続（ＴＤ−ＳＣＤＭＡ）、グローバルモバイル通信システム（ＧＳＭ）に属し、
前記ソースセルがＧＳＭセルである場合、ソースＧＳＭセルが、自身のセル識別子、前記ターゲットＴＤ−ＳＣＤＭＡシステムセルへ再選択の再選択閾値パラメータを前記ターゲットＴＤ−ＳＣＤＭＡシステムセルに通知し、
前記ソースセルがＴＤ−ＳＣＤＭＡシステムセルである場合、ソースＴＤ−ＳＣＤＭＡシステムセルが、自身のセル識別子、ターゲットＧＳＭセル識別子、ターゲットＧＳＭセルへ再選択の再選択閾値パラメータを前記ターゲットＧＳＭセルに通知することを特徴とする
請求項４に記載の方法。
【請求項６】
前記再選択閾値パラメータは、信号対雑音比、無線信号の受信パワーの少なくとも１つを含むことを特徴とする
請求項４に記載の方法。
【請求項７】
セル再選択装置であって、第１確定ユニット、検索ユニット、再選択ユニットおよび第２確定ユニットを含み、
前記第１確定ユニットは、ユーザ設備（ＵＥ）がソースセルからターゲットセルへ再選択の初期再選択条件を満たすかどうかを確定し、満たす場合、前記検索ユニットをトリガーするように構成され
前記検索ユニットは、ローカルで前記ターゲットセルから前記ソースセルへ再選択の再選択閾値パラメータが存在しているかどうかを検索し、存在しない場合、前記再選択ユニットをトリガーし、存在している場合、前記第２確定ユニットをトリガーするように構成され
前記再選択ユニットは、前記ＵＥが前記ターゲットセルを再選択するようにするように構成され、
前記第２確定ユニットは、前記ＵＥの前記ソースセルでの対応するパラメータが前記再選択閾値パラメータより小さいかまたは前記再選択閾値パラメータ以下であるかどうかを確定し、前記ＵＥの前記ソースセルでの対応するパラメータが前記再選択閾値パラメータより小さいまたは前記再選択閾値パラメータ以下である場合、前記再選択ユニットをトリガーして前記ＵＥが前記ターゲットセルを再選択するようにするように構成されることを特徴とする、前記装置。
【請求項８】
前記装置は、さらに、通知ユニットを含み、
前記通知ユニットは、前記再選択ユニットが、前記ＵＥが前記ターゲットセルを再選択するようにした場合、前記ソースセルから前記ターゲットセルへ再選択の再選択閾値パラメータを前記ターゲットセルに通知するように構成されることを特徴とする
請求項７に記載の装置。
【請求項９】
前記初期再選択条件は、プロトコルに規定されている再選択条件であることを特徴とする
請求項７に記載の装置。
【請求項１０】
前記ソースセル及び前記ターゲットセルがそれぞれ異なる通信システムに属し、
前記再選択閾値パラメータが、信号対雑音比、無線信号の受信パワーの少なくとも１つを含むことを特徴とする
請求項７〜９のいずれか１項に記載の装置。
【請求項１１】
前記ソースセル及び前記ターゲットセルがそれぞれ、時分割同期符号分割多元接続（ＴＤ−ＳＣＤＭＡ）、グローバルモバイル通信システム（ＧＳＭ）に属し、
前記通知ユニットは、さらに、前記ソースセルがＧＳＭセルである場合、ソースＧＳＭセルのセル識別子、ターゲットＴＤ−ＳＣＤＭＡシステムセルへ再選択の再選択閾値パラメータを前記ターゲットＴＤ−ＳＣＤＭＡシステムセルに通知するように構成され、
あるいは、前記通知ユニットは、さらに、前記ソースセルがＴＤ−ＳＣＤＭＡシステムセルである場合、ソースＴＤ−ＳＣＤＭＡシステムセルのセル識別子、ターゲットＧＳＭセル識別子、ターゲットＧＳＭセルへ再選択の再選択閾値パラメータを前記ターゲットＧＳＭセルに通知するように構成されることを特徴とする
請求項１０に記載の装置。
【請求項１２】
基地局であって、請求項７〜１１のいずれか１項に記載のセル再選択装置を含むことを特徴とする、前記基地局。
【発明の詳細な説明】
【技術分野】
【０００１】
本発明はセル再選択技術に関し、特に異なる移動通信システム間のセル再選択方法及び装置、基地局に関する。
【背景技術】
【０００２】
パブリックランドモバイルネットワーク（ＰＬＭＮ：Ｐｕｂｌｉｃ  Ｌａｎｄ  Ｍｏｂｉｌｅ  Ｎｅｔｗｏｒｋ）におけるユーザ設備（ＵＥ：Ｕｓｅｒ  Ｅｑｕｉｐｍｅｎｔ）にとって、時分割同期符号分割多元接続（ＴＤ−ＳＣＤＭＡ：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）システムとグローバルモバイル通信システム（ＧＳＭ（登録商標）：Ｇｌｏｂａｌ  Ｓｙｓｔｅｍ  ｏｆ  Ｍｏｂｉｌｅ  ｃｏｍｍｕｎｉｃａｔｉｏｎ）の間で、どのようにセル再選択を行うのはプロトコルに規定されている。
【０００３】
ここで、ＵＥが、ＴＤ−ＳＣＤＭＡシステムセルからＧＳＭセルへ再選択することにおいて、相対値ソート方式によって再選択を行うことをプロトコルで要求している。即ち、あるソート基準に従って、一定の期間中に、ＧＳＭセルの信号がＴＤ−ＳＣＤＭＡシステムセルの信号よりよい場合、ＧＳＭへのセル再選択をトリガーする。
【０００４】
ＧＳＭからＴＤ−ＳＣＤＭＡシステムへの再選択において、絶対閾値に依存し、具体的に、ＧＳＭにキャンプしているＵＥが、あるＴＤ−ＳＣＤＭＡシステムセルの信号強度がこの閾値より高い、且つ高いのが５ｓ持続することを測定する場合、ＴＤ−ＳＣＤＭＡシステムセルへの再選択をトリガーする。
【０００５】
規格間の再選択に対する簡単な上記説明を介して次のことが理解されるだろう。ＧＳＭ及びＴＤ−ＳＣＤＭＡシステムの間の再選択原則の非対称性により、ＴＤ−ＳＣＤＭＡシステムセルからＧＳＭセルへの再選択要件を満たすばかりでなく、ＧＳＭセルからＴＤ−ＳＣＤＭＡシステムセルへの再選択要件も満たすことが現れることができ、これがピンポン再選択を引き起こし、次の一連の問題をもたらす可能性がある。まず、再選択過程中で、ＵＥがページングを受信することができず、ページングオフ時間が増えることを引き起こす。次は、再選択の後に登録が必要であり、ネットワーク負荷を間違えなく増やし、ＵＥのリソース浪費も、スタンバイ時間の短縮を引き起こす。
【発明の概要】
【発明が解決しようとする課題】
【０００６】
これを鑑みて、本発明の主な目的は、異なるシステム間のセルのピンポン再選択を抑制するために、セル再選択方法及び装置、基地局を提供することにある。
【課題を解決するための手段】
【０００７】
前記目的を実現するために、本発明の技術的解決手段は、次のように実現される。
【０００８】
セル再選択方法であって、
ソースセルが、ＵＥがターゲットセルへの再選択の初期再選択条件を満たすことを確定した場合、ローカルで前記ターゲットセルから前記ソースセルへ再選択の再選択閾値パラメータが存在しているかどうかを検索し、存在しない場合、前記ＵＥが前記ターゲットセルを再選択するようにし、存在している場合、さらに、前記ＵＥに前記ソースセルでの対応するパラメータが前記再選択閾値パラメータより小さいかまたは前記再選択閾値パラメータ以下であるかどうかを確定し、前記ＵＥの前記ソースセルでの対応するパラメータが前記再選択閾値パラメータより小さいまたは前記再選択閾値パラメータ以下である場合、前記ＵＥが前記ターゲットセルを再選択するようにすることを含む。
【０００９】
好ましくは、前記方法は、さらに、
前記ＵＥが前記ターゲットセルを再選択するようにした場合、前記ソースセルが、前記ターゲットセルへ再選択の再選択閾値パラメータを前記ターゲットセルに通知することを含む。
【００１０】
好ましくは、前記初期再選択条件は、プロトコルに規定されている再選択条件である。
【００１１】
好ましくは、前記ソースセル及び前記ターゲットセルがそれぞれ異なる通信システムに属している。
【００１２】
好ましくは、前記ソースセル及び前記ターゲットセルがそれぞれ、時分割同期符号分割多元接続ＴＤ−ＳＣＤＭＡ、グローバルモバイル通信システムＧＳＭに属し、
前記ソースセルがＧＳＭセルである場合、ソースＧＳＭセルが自身のセル識別子、前記ターゲットＴＤ−ＳＣＤＭＡシステムセルへ再選択の再選択閾値パラメータを前記ターゲットＴＤ−ＳＣＤＭＡシステムセルに通知し、
前記ソースセルがＴＤ−ＳＣＤＭＡシステムセルである場合、ソースＴＤ−ＳＣＤＭＡシステムセルが自身のセル識別子、ターゲットＧＳＭセル識別子、ターゲットＧＳＭセルへ再選択の再選択閾値パラメータを前記ターゲットＧＳＭセルに通知する。
【００１３】
好ましくは、前記再選択閾値パラメータは、信号対雑音比、無線信号の受信パワーの少なくとも１つを含む。
【００１４】
セル再選択装置であって、第１確定ユニット、検索ユニット、再選択ユニットおよび第２確定ユニットを含み、
前記第１確定ユニットは、ユーザ設備（ＵＥ）がソースセルからターゲットセルへ再選択の初期再選択条件を満たすかどうかを確定し、満たす場合、前記検索ユニットをトリガーするように構成され、
前記検索ユニットは、ローカルで前記ターゲットセルから前記ソースセルへ再選択の再選択閾値パラメータが存在しているかどうかを検索し、存在しない場合、前記再選択ユニットをトリガーし、存在している場合、前記第２確定ユニットをトリガーするように構成され、
前記再選択ユニットは、前記ＵＥが前記ターゲットセルを再選択するようにするように構成され、
前記第２確定ユニットは、前記ＵＥの前記ソースセルでの対応するパラメータが前記再選択閾値パラメータより小さいかまたは前記再選択閾値パラメータ以下であるかどうかを確定し、前記ＵＥの前記ソースセルでの対応するパラメータが前記再選択閾値パラメータより小さいまたは前記再選択閾値パラメータ以下である場合、前記再選択ユニットをトリガーして前記ＵＥが前記ターゲットセルを再選択するようにするように構成される。
【００１５】
好ましくは、前記装置は、さらに、通知ユニットを含み、
前記通知ユニットは、前記再選択ユニットが、前記ＵＥが前記ターゲットセルを再選択するようにした場合、前記ソースセルから前記ターゲットセルへ再選択の再選択閾値パラメータを前記ターゲットセルに通知するように構成される。
【００１６】
好ましくは、前記初期再選択条件は、プロトコルに規定されている再選択条件である。
【００１７】
好ましくは、前記ソースセル及び前記ターゲットセルがそれぞれ異なる通信システムに属し、
好ましくは、前記再選択閾値パラメータが、信号対雑音比、無線信号の受信パワーの少なくとも１つを含む。
【００１８】
好ましくは、前記ソースセル及び前記ターゲットセルがそれぞれ、時分割同期符号分割多元接続（ＴＤ−ＳＣＤＭＡ）、グローバルモバイル通信システム（ＧＳＭ）に属し、
前記通知ユニットは、さらに、前記ソースセルがＧＳＭセルである場合、ソースＧＳＭセルのセル識別子、ターゲットＴＤ−ＳＣＤＭＡシステムセルへ再選択の再選択閾値パラメータを前記ターゲットＴＤ−ＳＣＤＭＡシステムセルに通知するように構成され、
あるいは、前記通知ユニットは、さらに、  前記ソースセルがＴＤ−ＳＣＤＭＡシステムセルである場合、ソースＴＤ−ＳＣＤＭＡシステムセルのセル識別子、ターゲットＧＳＭセル識別子、ターゲットＧＳＭセルへ再選択の再選択閾値パラメータを前記ターゲットＧＳＭセルに通知するように構成される。
【００１９】
基地局であって、前記のセル再選択装置を含む。
【発明の効果】
【００２０】
本発明において、ソースセルがＵＥが、ターゲットセルへの再選択の初期再選択条件を満たすことを確定した場合、ローカルで前記ターゲットセルからソースセルへ再選択の再選択閾値パラメータが存在しているかどうかを検索し、存在しない場合、ＵＥがターゲットセルを再選択するようにし、存在している場合、さらに、ＵＥのソースセルでの対応するパラメータが再選択閾値パラメータより小さいかまたは再選択閾値パラメータ以下であるかどうかを確定し、ＵＥのソースセルでの対応するパラメータが再選択閾値パラメータより小さいまたは再選択閾値パラメータ以下である場合、ＵＥがターゲットセルを再選択するようにし、再選択閾値パラメータより大きい場合は、ＵＥがターゲットセルを再選択しないようにする。上記の初期再選択条件は現在再選択の関連プロトコルに規定されている再選択条件である。本発明は再選択の際に、ソースセルの再選択閾値パラメータをターゲットセルに通知することで、ターゲットセルがソースセルへ再選択する際に、再選択閾値パラメータによって、再選択するかどうかをさらに確定できる。本発明の技術的解決手段は、ＴＤ−ＳＣＤＭＡシステムセル（以下はＴＤセルと称する）とＧＳＭセルの間の再選択ポリシーの非対称を回避し、ＴＤセルとＧＳＭセルの間のピンポン再選択を回避し、再選択期間でのＵＥのページングオフ時間を短縮し、ネットワークの負荷を低減させ、かつＵＥの省エネルギーを可能にする。
【図面の簡単な説明】
【００２１】
【図１】本発明実施形態のセル再選択方法のフローチャートである。
【図２】本発明実施形態のＴＤセルからＧＳＭセルへの再選択を抑制するフローチャートである。
【図３】本発明実施形態のＧＳＭセルからＴＤセルへの再選択を抑制するフローチャートである。
【図４】本発明実施形態のセル再選択装置の構成構造を示す図である。
【発明を実施するための形態】
【００２２】
本発明の実施形態は、ソースセルが、ＵＥがターゲットセルへの再選択の初期再選択条件を満たすことを確定した場合、ローカルで前記ターゲットセルからソースセルへ再選択の再選択閾値パラメータが存在しているかどうかを検索し、存在しない場合、ＵＥがターゲットセルを再選択するようにし、存在している場合、さらに、ＵＥのソースセルでの対応するパラメータが再選択閾値パラメータより小さいかまたは再選択閾値パラメータ以下であるかどうかを確定し、再選択閾値パラメータより大きい場合、ＵＥがターゲットセルを再選択しないようにし、再選択閾値パラメータより小さいまたは再選択閾値パラメータ以下の場合だけに、ＵＥがターゲットセルを再選択するようにすることに関する。
【００２３】
本発明実施形態の技術的解決手段は、主に、ＴＤセルとＧＳＭセル間の再選択閾値パラメータを共有させ、プロトコルポリシーの不一致によって引き起こされたセル間のピンポン再選択を回避する。具体的に、ＧＳＭセルからＴＤセルへの再選択が発生した場合、ＧＳＭセルからＴＤセルへの再選択の再選択閾値パラメータをＴＤセルに通知し、ＴＤセルでセル再選択評価を行う際、仮にちょうど前のＧＳＭセルを評価する時に、ＴＤセルからＧＳＭセルへの通常の再選択基準を除いて、この再選択閾値パラメータに対する判断を増やす。現在のＴＤセルの無線信号に対応するパラメータがこの再選択閾値パラメータより大きければ、ＧＳＭセルへの再選択が発生しなく、現在のＴＤセルの無線信号に対応するパラメータがこの再選択閾値パラメータ以上であれば、再選択する。同様に、ＴＤセルからＧＳＭセルへの再選択が発生した場合、ＴＤセルからＧＳＭへの再選択の再選択閾値パラメータをＧＳＭセルに通知し、ＧＳＭセルでセル再選択評価を行う際、仮にちょうど前のＴＤセルを評価する時に、ＧＳＭセルからＴＤセルへの通常の再選択基準を除いて、再選択の信頼性を増やしてピンポン再選択を回避するために、ＴＤ規格内で応用される再選択評価基準を増やす。
【００２４】
本発明の目的、技術的解決手段と利点をもっと明確にするために、以下は実施形態を挙げて図面を参照しながら、本発明に対してさらに詳しく説明を行う。
【００２５】
図１は本発明実施形態のセル再選択方法のフローチャートであり、図１に示されるように、本発明実施形態のセル再選択方は次のステップを含む。
【００２６】
ステップ１０１において、ソースセルが、ＵＥがターゲットセルへの再選択の初期再選択条件を満たすことを確定した場合、ローカルで前記ターゲットセルからソースセルへ再選択の再選択閾値パラメータが存在しているかどうかを検索し、存在しない場合、ステップ１０３を実行し、存在している場合、ステップ１０２を実行する。
【００２７】
上記の初期再選択条件は現在再選択の関連プロトコルに規定されている再選択条件である。
【００２８】
再選択閾値パラメータは、信号雑音比、無線信号の受信パワーの少なくとも１つを含む。再選択閾値パラメータは、主に、無線信号の品質を指示することに用いられ、本発明実施形態において上記２つのパラメータに限定されていなく、さらに、受信信号強度インジケータ（ＲＳＳＩ：Ｒｅｃｅｉｖｅｄ  Ｓｉｇｎａｌ  Ｓｔｒｅｎｇｔｈ  Ｉｎｄｉｃａｔｏｒ）などパラメータであってもよい。あるいは、上記再選択閾値パラメータが上記複数の受信信号品質パラメータに基づいて確定された総合指標パラメータであってもよい。
【００２９】
ステップ１０２において、ＵＥのソースセルでの対応するパラメータが再選択閾値パラメータより小さいかまたは再選択閾値パラメータ以下であるかどうかを確定し、再選択閾値パラメータより大きい場合、現在処理を終了し、再選択閾値パラメータより小さいまたは再選択閾値パラメータ以下の場合、ステップ１０３を実行する。
【００３０】
ソースセルに対応するパラメータが閾値パラメータより大きいのを確定した場合、ＵＥがソースセルでの無線信号品質がまだよいと示し、もしこの時にターゲットセルへの再選択を選ぶと、ＵＥが再びターゲットセルから現在ソースセルへ再選択するのを引き起こす可能性があり、それによって、ピンポン再選択を引き起こし、このため、この情況では、ＵＥがターゲットセルを再選択するようにしない。
【００３１】
ステップ１０３において、ＵＥが前記ターゲットセルを再選択するようにする。
【００３２】
ＵＥがターゲットセルを再選択するようにした場合、ソースセルが、ターゲットセルへの再選択の再選択閾値パラメータをターゲットセルに通知する。
【００３３】
本発明実施形態において、ソースセル及び前記ターゲットセルがそれぞれ異なる通信システムに属している。
【００３４】
本発明実施形態において、ソースセル及び前記ターゲットセルがそれぞれＴＤ−ＳＣＤＭＡシステム、ＧＳＭに属している。
【００３５】
ソースセルがＧＳＭセルである場合、ソースＧＳＭセルが、自身のセル識別子、ターゲットＴＤ−ＳＣＤＭＡシステムセルへの再選択の再選択閾値パラメータを、前記ターゲットＴＤ−ＳＣＤＭＡシステムセルに通知する。
【００３６】
ソースセルがＴＤ−ＳＣＤＭＡシステムセルである場合、ソースＴＤ−ＳＣＤＭＡシステムセルが、自身のセル識別子、ターゲットＧＳＭセル識別子、ターゲットＧＳＭセルへの再選択の再選択閾値パラメータを、前記ターゲットＧＳＭセルに通知する。
【００３７】
図２は本発明実施形態のＴＤセルからＧＳＭセルへの再選択を抑制するフローチャートであり、図２に示されるように、本発明実施形態において、ＴＤセルが１つの再選択閾値パラメータリストをメンテナンスし、リスト中の要素の具体的なフォーマットが（ＧｓｍＣｅｌｌＩＤ，ＴｄｄＯｆｆＳｅｔ）であり、ここで、ＧｓｍＣｅｌｌＩＤがＧＳＭセル識別子を示し、ＴｄｄＯｆｆＳｅｔがこのＧＳＭセルからＴＤへの再選択時に対応する再選択閾値パラメータを示す。例えば、再選択閾値パラメータが、信号対雑音比、無線信号の受信パワー、ＲＳＳＩなどのようなパラメータであってよい。あるいは、上記再選択閾値パラメータが上記複数の受信信号品質パラメータに基づいて確定された総合指標パラメータであってもよい。仮にＧＳＭセルに現在キャンプしているとすれば、本発明実施形態のＴＤセルからＧＳＭセルへの再選択を抑制するのは、次のステップを含む。
【００３８】
ステップ２０１において、ＧＳＭセルからＴＤセルへの再選択が発生し、（ＧｓｍＣｅｌｌＩＤ，ＴｄｄＯｆｆＳｅｔ）をＴＤに送信する。ここのＧｓｍＣｅｌｌＩＤは再選択が発生した時のＧＳＭサービスセル識別子である。ＴｄｄＯｆｆＳｅｔは再選択閾値パラメータである。
【００３９】
ステップ２０２において、ＴＤが（ＧｓｍＣｅｌｌＩＤ，ＴｄｄＯｆｆＳｅｔ）を再選択閾値パラメータリストに加え、同時に、この要素に対して１つのタイマーを起動させる。
【００４０】
ステップ２０３において、ＴＤが通常の原則に従ってＧＳＭ測定を開始し、かつＧＳＭセルを評価する。
【００４１】
ステップ２０４において、ＴＤが、あるＧＳＭセルへの再選択が発生してよいと評価した場合、再選択閾値パラメータリストでこのＧＳＭセルが存在しているかどうかを検索し、存在しているとステップ２０５を実行し、存在しないと、ステップ２０６を実行する。
【００４２】
ステップ２０５において、現在ＴＤセルの信号の関連パラメータがこのＧＳＭセルに対応するＴｄｄＯｆｆＳｅｔより大きいかを判断し、ＴｄｄＯｆｆＳｅｔより大きいと、ステップ２０３を実行し、大きくないとステップ２０６を実行する。
【００４３】
ステップ２０６において、ＴＤセルからＧＳＭセルへの再選択が発生し、ＧＳＭセルにキャンプする。
【００４４】
ステップ２０７において、ＴＤへの再選択が発生した場合、ステップ２０１を実行し、ＴＤへの再選択が発生しない場合、ステップ２０６を実行し、ＧＳＭセルにキャンプする。
【００４５】
上記の処理プロセスにおいて、再選択閾値パラメータリストに対して、その格納上限を定義し、１つの新しい要素を挿入する時、再選択閾値パラメータリストがいっぱいであるのを発見すると、最も古い要素を削除する。再選択閾値パラメータリスト中の各要素に対して、それぞれ１つのタイマーを起動させる。既に存在している要素を挿入する時に、ＴｄｄＯｆｆＳｅｔをオーバーライトし、タイマーを再起動させる。タイマーがタイムアウトした場合、リストに対応する要素を削除する。
【００４６】
図３は本発明実施形態のＧＳＭセルからＴＤセルへの再選択を抑制するフローチャートであり、図３に示されるように、本発明実施形態において、ＧＳＭセルが１つの再選択閾値パラメータリストをメンテナンスし、リスト中の要素の具体的なフォーマットが（ＴｄＣｅｌｌＩＤ，ＧｓｍＣｅｌｌＩＤ，Ｔ２ＧＴｈｒｅｓＨｏｌｄ）であり、ＴｄＣｅｌｌＩＤがＴＤセル識別子を示し、ＧｓｍＣｅｌｌＩＤがＧＳＭセル識別子を示し、Ｔ２ＧＴｈｒｅｓＨｏｌｄがＴＤセルの再選択閾値パラメータ（Ｑｇ−（Ｒｇ−Ｒｔ）であり、ここで、ＱｇがＧＳＭセルの関連パラメータ測定値であり、ＲｇがＧＳＭセルのＲ値であり、ＲｔがＴＤセルのＲ値である。仮にＴＤセルに現在キャンプしているとすれば、本発明実施形態のＴＤセルからＧＳＭセルへの再選択を抑制するのは、次のステップを含む。
【００４７】
ステップ３０１において、ＴＤセルからＧＳＭセルへの再選択が発生し、要素（ＴｄＣｅｌｌＩＤ，ＧｓｍＣｅｌｌＩＤ，Ｔ２ＧＴｈｒｅｓＨｏｌｄ）をＧＳＭセルへ送信する。ここのＴｄＣｅｌｌＩＤは再選択が発生した時のＴＤサービスセル識別子である。
【００４８】
ステップ３０２において、ＧＳＭが（ＴｄＣｅｌｌＩＤ，ＧｓｍＣｅｌｌＩＤ，Ｔ２ＧＴｈｒｅｓＨｏｌｄ）を再選択閾値パラメータリストに加え、同時に、この要素に対して１つのタイマーを起動させる。
【００４９】
ステップ３０３において、ＧＳＭセルが通常の原則に従ってＴＤ測定を開始し、かつＴＤセルを評価する。
【００５０】
ステップ３０４において、ＧＳＭセルが、あるＴＤセルで再選択が発生してよいと評価した場合、再選択閾値パラメータリストでこの（ＧＳＭｓ，ＴＤｄ）セルが存在しているかどうかを検索し、存在しているとステップ３０５を実行し、存在しないと、ステップ３０６を実行する。
【００５１】
ここで、ＧＳＭセルが検索するのは、ＧＳＭｓ，ＴＤｄセル二次元データであり、それぞれ、ＧＳＭサービスセル及びターゲットＴＤセルを示す。
【００５２】
ステップ３０５において、現在ＧＳＭセルの信号の関連パラメータがこのＴＤセルに対応するＴ２ＧＴｈｒｅｓＨｏｌｄより大きいかを判断し、Ｔ２ＧＴｈｒｅｓＨｏｌｄより大きいと、ステップ３０３を実行し、大きくないとステップ３０６を実行する。
【００５３】
ステップ３０６において、ＧＳＭセルからＴＤセルへの再選択が発生し、ＴＤセルにキャンプする。
【００５４】
ステップ３０７において、ＧＳＭへの再選択が発生した場合、ステップ３０１を実行し、ＧＳＭへの再選択が発生しない場合、ステップ３０６を実行し、ＴＤセルにキャンプする。
【００５５】
上記のプロセスにおいて、再選択閾値パラメータリストに対して、その格納上限を定義し、１つの新しい要素を挿入する時、再選択閾値パラメータリストがいっぱいであるのを発見すると、最も古い要素を削除する。再選択閾値パラメータリスト中の各要素に対して、それぞれ１つのタイマーを起動させる。既に存在している要素を挿入する時に、Ｔ２ＧＴｈｒｅｓＨｏｌｄをオーバーライトし、タイマーを再起動させ、（ＴｄＣｅｌｌＩＤ，ＧｓｍＣｅｌｌＩＤ）二次元情報を唯一の記録識別子とする。タイマーがタイムアウトした場合、リストに対応する要素を削除する。
【００５６】
図４は本発明実施形態のセル再選択装置の構成構造を示す図であり、図４に示されるように、本発明実施形態のセル再選択装置は、第１確定ユニット４０、検索ユニット４１、再選択ユニット４２および第２確定ユニット４３を含む。
【００５７】
第１確定ユニット４０は、ユーザ設備（ＵＥ）がソースセルからターゲットセルへ再選択の初期再選択条件を満たすかどうかを確定し、満たす場合、前記検索ユニットをトリガーするように構成される。
【００５８】
検索ユニット４１は、ローカルで前記ターゲットセルから前記ソースセルへ再選択の再選択閾値パラメータが存在しているかどうかを検索し、存在しない場合、前記再選択ユニットをトリガーし、存在している場合、前記第２確定ユニットをトリガーするように構成される。
【００５９】
再選択ユニット４２は、前記ＵＥが前記ターゲットセルを再選択するようにするように構成される。
【００６０】
第２確定ユニット４３は、前記ＵＥの前記ソースセルでの対応するパラメータが前記再選択閾値パラメータより小さいかまたは前記再選択閾値パラメータ以下であるかどうかを確定し、前記再選択閾値パラメータより大きい場合、処理せず、前記再選択閾値パラメータ以下である場合、前記再選択ユニットをトリガーして前記ＵＥが前記ターゲットセルを再選択するようにするように構成される。
【００６１】
図４に示される本発明実施形態のセル再選択装置に基づいて、本発明実施形態のセル再選択装置は、さらに、通知ユニット（図４に示されていない）を含む。
【００６２】
通知ユニットは、前記再選択ユニット４２が前記ＵＥが前記ターゲットセルを再選択するようにした場合、前記ソースセルから前記ターゲットセルへ再選択の再選択閾値パラメータを前記ターゲットセルに通知するように構成される。
【００６３】
前記初期再選択条件は、プロトコルに規定されている再選択条件である。
【００６４】
前記ソースセル及び前記ターゲットセルがそれぞれ異なる通信システムに属している。
【００６５】
前記再選択閾値パラメータが、信号対雑音比、無線信号の受信パワーの少なくとも１つを含む。
【００６６】
具体的に、前記ソースセル及び前記ターゲットセルがそれぞれ、時分割同期符号分割多元接続（ＴＤ−ＳＣＤＭＡ）、グローバルモバイル通信システム（ＧＳＭ）に属している。
【００６７】
前記通知ユニットは、さらに、前記ソースセルがＧＳＭセルである場合、ソースＧＳＭセルのセル識別子、ターゲットＴＤ−ＳＣＤＭＡシステムセルへ再選択の再選択閾値パラメータを、前記ターゲットＴＤ−ＳＣＤＭＡシステムセルに通知するように構成される。
あるいは、前記通知ユニットは、さらに、前記ソースセルがＴＤ−ＳＣＤＭＡシステムセルである場合、ソースＴＤ−ＳＣＤＭＡシステムセルのセル識別子、ターゲットＧＳＭセル識別子、ターゲットＧＳＭセルへ再選択の再選択閾値パラメータを、前記ターゲットＧＳＭセルに通知するように構成される。
【００６８】
本発明実施形態において、セル再選択装置が基地局に応用されてよく、第１確定ユニット４０、検索ユニット４１、再選択ユニット４２と第２確定ユニット４３がそれぞれ、基地局に設置された中央演算処理装置（ＣＰＵ：Ｃｅｎｔｒａｌ  Ｐｒｏｃｅｓｓｉｎｇ  Ｕｎｉｔ）、デジタル信号処理装置（ＤＳＰ：Ｄｉｇｉｔａｌ  Ｓｉｇｎａｌ  Ｐｒｏｃｅｓｓｏｒ）またはフィールド・プログラマブル・ゲート・アレイ（ＦＰＧＡ：ＦｉｅｌｄＰｒｏｇｒａｍｍａｂｌｅ  Ｇａｔｅ  Ａｒｒａｙ）によって実現されることができる。通知ユニットが基地局に設置されたアンテナまたは相応な有線イーサネット（登録商標）ポートまたは無線ネットワークインターフェースによって実現されることができる。
【００６９】
図４に示されるセル再選択装置中の各処理ユニットの実現機能は、前記セル再選択方法の関連説明を参照して理解できるのを、当業者は理解するはずである。図４に示されるセル再選択装置中の各処理ユニットの機能がプロセッサーで動作するプログラムによって実現されることができるし、具体的なロジック回路によって実現されることができるのを、本分野の技術者が理解するはずである。
【００７０】
本発明実施形態が、さらに、基地局を記載し、前記図４に示されるセル再選択装置を含む。本発明実施形態の基地局は、特に、ＧＳＭの基地局、ＴＤ−ＳＣＤＭＡシステムの基地局を指す。
【００７１】
明らかに、上記の本発明の各処理ユニットまたは各ステップは、汎用のコンピュータ装置によって実現されることができ、それは、単一のコンピュータ装置に集中してもよく、あるいは、複数のコンピュータ装置からなるネットワークに分散してよく、選択可能に、それは、コンピュータ装置で実行可能なプログラムコードによって実現されることができ、それによって、それらを格納装置に格納してコンピュータ装置によって実行されることができ、あるいは、それらをそれぞれ、各集積回路のモジュールを生成し、あるいは、それら中の複数のモジュールまたはステップを単一集積回路モジュールを生成することによって実現されることができる。このように、本発明はいかなる特定のハードウェアやソフトウェアの組み合わせに限定されない。
【００７２】
以上は、本発明の最適的な実施形態に過ぎなく、本発明を制限するためのものではない。
【産業上の利用可能性】
【００７３】
本発明は再選択時のソースセルの再選択閾値パラメータをターゲットセルに通知することで、こうして、ターゲットセルがソースセルへ再選択する場合、再選択閾値パラメータによって再選択するかどうかをさらに確定でき、本発明の技術的解決手段がＴＤ−ＳＣＤＭＡシステムセル（以下ＴＤセルと称する）、ＧＳＭセル間の再選択ポリシーの非対称を回避し，ＴＤセル、ＧＳＭセル間のピンポン再選択を回避し、再選択期間でのＵＥのページングオフ時間を短縮し、ネットワークの負荷を低減させ、かつＵＥの省エネルギーを可能にする。
【符号の説明】
【００７４】
４０・・・第１確定ユニット、４１・・・検索ユニット、４２・・・再選択ユニット、４３・・・第２確定ユニット。
【図１】
2015535161.tif 000003
【図２】
2015535161.tif 000004
【図３】
2015535161.tif 000005
【図４】
2015535161.tif 000006
【国際調査報告】
2015535161.tif 000007
2015535161.tif 000008
2015535161.tif 000009
2015535161.tif 000010